(57)【要約】  ＰＤＦ文書基盤のイーブック用マルチメディア再生システムである。ＰＤＦ文書基盤のイーブック用マルチメディア再生システムに関する本発明の一実施例により，マルチメディアコンテンツを有するイーブック文書の文字，イメージ等の客体をマッピングし，使用者の要求により，文書上のマルチメディアコンテンツを再生／停止することができる。【選択図】図１
2014518576.tif 000002
【特許請求の範囲】
【請求項１】
ＰＤＦファイルを選択，ロードし，レンダリングに必要なページ構成要素を分離，抽出し，レンダリングされたページ構成要素を出力装置に伝送し，ＰＤＦ文書を出力するＰＤＦ文書処理部と，
出力された前記ＰＤＦ文書の特定領域と関連して入力されたデータと連係した注釈のデータを抽出し，抽出された解釈可能な機能性注釈のデータに含まれた構文のうち，処理可能なマルチメディア形式の構文を分離する入力データ及び注釈処理部と，
前記入力データ及び注釈処理部において分離されたマルチメディア形式の構文を分析して，マルチメディアソースの位置を把握し，ＰＤＦファイルの内部，ローカル保存装置，又は遠隔地サーバの少なくともいずれか一つに保存されたマルチメディアソースをロードするマルチメディアソースローディング部と，
前記ロードされたマルチメディアソースのヘッダを分析し，再生可能なヘッダである場合，形式を区分して，フラッシュ，動画，又は音楽ファイルの少なくともいずれか一つのマルチメディアソースを再生するマルチメディア再生部と
を備えるＰＤＦ文書基盤のイーブック用マルチメディア再生システム。
【請求項２】
前記ＰＤＦ文書処理部は，
ＰＤＦファイルを選択，ロードし，メモリに保存するＰＤＦファイルローディング部と，
前記メモリに保存された前記ＰＤＦファイルを読み込み，ＰＤＦデータを分析し，レンダリングに必要なページ構成要素を分離，抽出するコンテンツ解釈部と，
前記コンテンツ解釈部から分離，抽出されたページ構成要素を画面出力のために整列，配置し，出力装置の特性に合わせて調整するレンダリング部と，
前記レンダリング部においてレンダリングされたページ構成要素を前記出力装置に伝送して出力する文書出力部と
を有する請求項１記載のＰＤＦ文書基盤のイーブック用マルチメディア再生システム。
【請求項３】
前記入力データ及び注釈処理部は，
使用者が前記ＰＤＦ文書の特定領域を選択して発生する入力信号が含まれた入力データが入力される使用者入力部と，
前記入力データを分析し，単純グラフィック処理のためのデータと注釈のデータを分離し，前記単純グラフィック処理のためのデータは，前記コンテンツ解釈部に伝達する入力データ分析部と
を有する請求項２記載のＰＤＦ文書基盤のイーブック用マルチメディア再生システム。
【請求項４】
前記入力データ及び注釈処理部は，
さらに，前記入力データ分析部から注釈のデータを伝達され，解釈可能な機能性注釈のデータを分離し，前記機能性注釈のデータを除いた単純注釈のデータ又はレンダリングに必要な注釈のデータは，前記コンテンツ解釈部に伝達する注釈分析部を有する請求項３記載のＰＤＦ文書基盤のイーブック用マルチメディア再生システム。
【請求項５】
前記入力データ及び注釈処理部は，
さらに，前記注釈分析部から前記機能性注釈のデータを伝達され，前記機能性注釈のデータに含まれた構文のうち，処理可能なマルチメディア形式の構文を分離する構文フィルタリング部を有する請求項４記載のＰＤＦ文書基盤のイーブック用マルチメディア再生システム。
【請求項６】
前記マルチメディアソースローディング部は，
前記構文フィルタリング部から伝達された前記マルチメディア形式の構文を分析し，前記マルチメディアソースの位置に応じて処理命令を伝達する構文形式分析部と，
前記マルチメディアソースの位置がＰＤＦファイルの内部である場合，前記構文形式分析部から前記処理命令を伝達され，注釈辞典を参照して，ＰＤＦファイル内のマルチメディアソースとマッピングされたキーを，前記コンテンツ解釈部に伝送し，前記コンテンツ解釈部が，伝送されたキーを用いてマルチメディアソースを検索し，ソースの位置を指示するポインタをリターンすると，リターンされたポインタを用いて，マルチメディアソースをロードするデータマッピング部と，
前記マルチメディアソースの位置がＰＤＦファイルの外部である場合，前記構文形式分析部から前記処理命令を伝達され，マルチメディアソースのリンク位置が遠隔地サーバ又はローカル保存装置であるかを分析し，制御命令を発生させるリンク処理部と
を有する請求項５記載のＰＤＦ文書基盤のイーブック用マルチメディア再生システム。
【請求項７】
前記マルチメディアソースローディング部は，
さらに，前記マルチメディアソースの位置がローカル保存装置である場合，前記リンク処理部から制御命令を伝達され，ローカル保存装置においてマルチメディアソースをロードするマルチメディアファイルローディング部を有する請求項６記載のＰＤＦ文書基盤のイーブック用マルチメディア再生システム。
【請求項８】
前記マルチメディアソースローディング部は，
さらに，前記マルチメディアソースの位置が遠隔地サーバである場合，ネットワークを用いて遠隔地サーバに接続し，マルチメディアソースをダウンロードするネットワーク接続部を有する請求項６記載のＰＤＦ文書基盤のイーブック用マルチメディア再生システム。
【請求項９】
前記マルチメディア再生部は，
前記ロードされたマルチメディアソースのヘッダを分析し，再生可能なヘッダである場合，形式を区分して，それぞれの再生部に前記ロードされたマルチメディアソースを伝達するマルチメディア形式分析部と，
前記マルチメディアソースがAdobe Flash形式である場合，前記マルチメディア形式分析部からマルチメディアソースを受信して再生するフラッシュ再生部と，
前記マルチメディアソースがＭＰ４，ＷＭＶ，ＡＶＩ形式である場合，前記マルチメディア形式分析部からマルチメディアソースを受信して再生する動画再生部と，
前記マルチメディアソースがＭＰ３，ＷＭＡ，ＷＡＶ形式である場合，前記マルチメディア形式分析部からマルチメディアソースを受信して再生する音楽ファイル再生部と
を有する請求項１記載のＰＤＦ文書基盤のイーブック用マルチメディア再生システム。
【請求項１０】
請求項１乃至９のいずれか一項記載のＰＤＦ文書基盤のイーブック用マルチメディア再生システムを備えるＰＣ又はモバイル装置用アプリケーション。
【請求項１１】
ＰＤＦ文書の特定領域を選択する段階と，
前記特定領域に定義された注釈の構文を分析し，マルチメディアソースと連係した注釈であるか否かを判断する段階と，
前記特定領域に定義された注釈が前記マルチメディアソースと連係した注釈である場合，マルチメディアソースの位置を把握し，ＰＤＦファイルの内部，ローカル保存装置，又は遠隔地サーバの少なくともいずれか一つに保存されたマルチメディアソースをロードする段階と，
前記ロードされたマルチメディアソースのヘッダを分析し，再生可能なヘッダである場合，形式を区分して，フラッシュ，動画，又は音楽ファイルの少なくともいずれか一つのマルチメディアソースを再生する段階と
を含むＰＤＦ文書基盤のイーブック用マルチメディア再生方法。
【請求項１２】
前記マルチメディアソースと連係した注釈であるか否かを判断する段階は，
前記特定領域の選択を通じて発生する入力信号が含まれた入力データが入力され，前記特定領域に定義された注釈のデータを抽出し，抽出された解釈可能な機能性注釈のデータに含まれた構文のうち，処理可能なマルチメディア形式の構文を分離する段階を含む請求項１１記載のＰＤＦ文書基盤のイーブック用マルチメディア再生方法。
【請求項１３】
前記マルチメディアソースをロードする段階は，
前記マルチメディア形式の構文を分析し，前記マルチメディアソースの位置がＰＤＦファイルの内部である場合，注釈辞典を参照して，ＰＤＦファイル内のマルチメディアソースとマッピングされたキーを検索することにより，前記マルチメディアソースをロードする段階と，
前記マルチメディアソースの位置がローカル保存装置である場合，制御命令を伝達し，ローカル保存装置においてマルチメディアソースをロードする段階と，
前記マルチメディアソースの位置が遠隔地サーバである場合，ネットワークを用いて遠隔地サーバに接続し，マルチメディアソースをダウンロードする段階と
を含む請求項１２記載のＰＤＦ文書基盤のイーブック用マルチメディア再生方法。
【請求項１４】
前記マルチメディアソースを再生する段階は，
前記ロードされたマルチメディアソースのヘッダを分析し，再生可能なヘッダである場合，形式を区分して，それぞれの再生部に前記ロードされたマルチメディアソースを伝達する段階と，
前記マルチメディアソースがAdobe Flash形式である場合，フラッシュ再生部により前記マルチメディアソースを受信して再生する段階と，
前記マルチメディアソースがＭＰ４，ＷＭＶ，ＡＶＩ形式である場合，動画再生部により前記マルチメディアソースを受信して再生する段階と，
前記マルチメディアソースがＭＰ３，ＷＭＡ，ＷＡＶ形式である場合，音楽ファイル再生部により前記マルチメディアソースを受信して再生する段階と
を含む請求項１１記載のＰＤＦ文書基盤のイーブック用マルチメディア再生方法。
【発明の詳細な説明】
【技術分野】
【０００１】
本発明は，ＰＤＦ文書基盤のイーブック用マルチメディア再生システム及びその再生方法，並びにこれを具現したＰＣ又はモバイル装置用アプリケーションに関し，より詳しくは，イーブック文書の文字，イメージ等の客体をマルチメディアコンテンツとマッピングし，使用者の要求により，マルチメディアコンテンツを文書上において再生／停止可能な，ＰＤＦ文書基盤のイーブック用マルチメディア再生システム及びその再生方法，並びにこれを具現したＰＣ又はモバイル装置用アプリケーションに関する。
【背景技術】
【０００２】
一般に，ＰＤＦは，「Portable Document Format」の略字であり，米国アドビシステム社が開発したアクロバットやアクロバットキャプチャー又はこれと同等のソフトウェアを用いて作ったファイルフォーマットである。
【０００３】
ウェブは，その機能の限界上，特定のスタイル以上の多様な形式の文書を提供することができないが，アドビシステム社は，ウェブ上において，ＰＤＦファイルを見ることができるように，プラグインやアクロバットリーダを，使用者に無償で配布してきており，ＰＤＦファイルの使用者が増えるにつれて，官公署，研究所，企業等において文書をインターネット等を通じて配布しようとするとき，最も重要な手段として位置付けされている。
【０００４】
ＰＤＦファイルは，印刷し，又は電子メールに添付することができ，ネットワークサーバやウェブサイト上に簡便に載せられるが，ファイルサイズの小さいＰＤＦファイルは，電子配布のための理想的なフォーマットである。
【０００５】
特に，ＰＤＦファイルの特定の運用体制やソフトウェア，又はフォントの設置とは関係なく，全てのコンピュータにおいて見たり印刷することができ，原本の応用プログラムでデザインされたままで見て出力できるという長所がある。
【０００６】
したがって，ＰＤＦファイルは，１９９３年に発表されてから今まで，最も安全であり信頼できる情報交換のための電子文書フォーマットの標準として位置付けされており，特に，２００８年国際標準として採択されると共に，イーブック及び電子記録物の安全な共有，管理と保管のために，全世界の政府及び企業において活用されている。
【０００７】
しかしながら，イーブックの形態で提供されるＰＤＦファイルの場合，出版物と同一の形態のイメージのみを出力することができるので，提供されるコンテンツに制限があり，動画／音声等のマルチメディア要素を加えることができないという短所があった。
【０００８】
また，使用者がイーブックに接するとき，文書内の文字，イメージ等の客体について，使用者との相互作用が難しいため，コンテンツ提供者が提供する文字，イメージのみに接するよりほかなく，ＰＤＦファイルはインターネット上のメディアデータとの連動が不可能であるため，多様なコンテンツの提供に制限があった。
【０００９】
したがって，出版物と同一の形態のイメージのみを出力する静的な既存のＰＤＦ基盤のイーブックを，使用者の要求により，多様なコンテンツを提供可能な動的なイーブックに転換して提供する必要性が強調されている。
【発明の概要】
【発明が解決しようとする課題】
【００１０】
本発明は，上記問題点に鑑みなされたものであり，その目的は，出版物と同一の形態のイメージのみを出力する静的な既存のＰＤＦ基盤のイーブックを，使用者の要求により，多様なコンテンツを提供することができる動的なイーブックに転換することである。
【００１１】
また，本発明の他の目的は，ＰＤＦ基盤のイーブックに動画，音声，アニメーション等の多様な形態のコンテンツを提供し，マルチメディアコンテンツを文書上において再生可能にすることである。
【００１２】
また，本発明のまた他の目的は，文書の文字，イメージ等の客体をマルチメディアコンテンツとマッピングし，使用者の要求により，再生／停止可能にすることにより，使用者との相互作用を可能にすることである。
【００１３】
また，本発明のまた他の目的は，遠隔地のマルチメディアデータをネットワークを通じて再生させ，イーブック上において多様なコンテンツを時間と距離の制約なく提供することである。
【００１４】
また，本発明のさらに他の目的は，動画，音声，アニメーション等をイーブックに加えて，マルチメディアを活用した学習データで構成することにより，動画講義とイーブックの融合を通じて学習効果を最大限発揮させることである。
【課題を解決するための手段】
【００１５】
前記目的を達成するために，本発明の一側面によるＰＤＦ文書基盤のイーブック用マルチメディア再生システムは，ＰＤＦファイルを選択，ロードし，レンダリングに必要なページ構成要素を分離，抽出し，レンダリングされたページ構成要素を出力装置に伝送し，ＰＤＦ文書を出力するＰＤＦ文書処理部と，出力された前記ＰＤＦ文書の特定領域と関連して入力されたデータと連係した注釈のデータを抽出し，抽出された解釈可能な機能性注釈のデータに含まれた構文のうち，処理可能なマルチメディア形式の構文を分離する入力データ及び注釈処理部と，前記入力データ及び注釈処理部において分離されたマルチメディア形式の構文を分析して，マルチメディアソースの位置を把握し，ＰＤＦファイルの内部，ローカル保存装置，又は遠隔地サーバの少なくともいずれか一つに保存されたマルチメディアソースをロードするマルチメディアソースローディング部と，前記ロードされたマルチメディアソースのヘッダーを分析し，再生可能なヘッダーである場合，形式を区分して，フラッシュ，動画，又は音楽ファイルの少なくともいずれか一つのマルチメディアソースを再生するマルチメディア再生部とを備える。
【００１６】
前記ＰＤＦ文書処理部は，ＰＤＦファイルを選択，ロードし，メモリに保存するＰＤＦファイルローディング部と，前記メモリに保存された前記ＰＤＦファイルを読み込み，ＰＤＦデータを分析し，レンダリングに必要なページ構成要素を分離，抽出するコンテンツ解釈部と，前記コンテンツ解釈部から分離，抽出されたページ構成要素を画面出力のために整列，配置し，出力装置の特性に合わせて調整するレンダリング部と，前記レンダリング部においてレンダリングされたページ構成要素を前記出力装置に伝送して出力する文書出力部とを有する。
【００１７】
前記入力データ及び注釈処理部は，使用者が前記ＰＤＦ文書の特定領域を選択して発生する入力信号が含まれた入力データを入力される使用者入力部と，
前記入力データを分析し，単純グラフィック処理のためのデータと注釈のデータを分離し，前記単純グラフィック処理のためのデータは，前記コンテンツ解釈部に伝達する入力データ分析部とを有する。
【００１８】
前記入力データ及び注釈処理部は，さらに，前記入力データ分析部から注釈のデータを伝達され，解釈可能な機能性注釈のデータを分離し，前記機能性注釈のデータを除いた単純注釈のデータ又はレンダリングに必要な注釈のデータは，前記コンテンツ解釈部に伝達する注釈分析部を有する。
【００１９】
前記入力データ及び注釈処理部は，さらに，前記注釈分析部から前記機能性注釈のデータを伝達され，前記機能性注釈のデータに含まれた構文のうち，処理可能なマルチメディア形式の構文を分離する構文フィルタリング部を有する。
【００２０】
前記マルチメディアソースローディング部は，前記構文フィルタリング部から伝達された前記マルチメディア形式の構文を分析し，前記マルチメディアソースの位置に応じて処理命令を伝達する構文形式分析部と，前記マルチメディアソースの位置がＰＤＦファイルの内部である場合，前記構文形式分析部から前記処理命令を伝達され，注釈辞典を参照して，ＰＤＦファイル内のマルチメディアソースとマッピングされたキーを，前記コンテンツ解釈部に伝送し，前記コンテンツ解釈部が，伝送されたキーを用いてマルチメディアソースを検索し，ソースの位置を指示するポインタをリターンすると，リターンされたポインタを用いて，マルチメディアソースをロードするデータマッピング部と，前記マルチメディアソースの位置がＰＤＦファイルの外部である場合，前記構文形式分析部から前記処理命令を伝達され，マルチメディアソースのリンク位置が遠隔地サーバ又はローカル保存装置であるかを分析し，制御命令を発生させるリンク処理部とを有する。
【００２１】
前記マルチメディアソースローディング部は，さらに，前記マルチメディアソースの位置がローカル保存装置である場合，前記リンク処理部から制御命令を伝達され，ローカル保存装置においてマルチメディアソースをロードするマルチメディアファイルローディング部を有する。
【００２２】
前記マルチメディアソースローディング部は，さらに，前記マルチメディアソースの位置が遠隔地サーバである場合，ネットワークを用いて遠隔地サーバに接続し，マルチメディアソースをダウンロードするネットワーク接続部を有する。
【００２３】
前記マルチメディア再生部は，前記ロードされたマルチメディアソースのヘッダを分析し，再生可能なヘッダである場合，形式を区分して，それぞれの再生部に前記ロードされたマルチメディアソースを伝達するマルチメディア形式分析部と，前記マルチメディアソースがAdobe Flash形式である場合，前記マルチメディア形式分析部からマルチメディアソースを伝達されて再生するフラッシュ再生部と，前記マルチメディアソースがＭＰ４，ＷＭＶ，ＡＶＩ形式である場合，前記マルチメディア形式分析部からマルチメディアソースを伝達されて再生する動画再生部と，前記マルチメディアソースがＭＰ３，ＷＭＡ，ＷＡＶ形式である場合，前記マルチメディア形式分析部からマルチメディアソースを伝達されて再生する音楽ファイル再生部とを有する。
【００２４】
また，本発明の他の側面によるＰＣ又はモバイル装置用アプリケーションは，前記ＰＤＦ文書基盤のイーブック用マルチメディア再生システムを備える。
【００２５】
また，本発明の他の側面によるＰＤＦ文書基盤のイーブック用マルチメディア再生方法は，ＰＤＦ文書の特定領域を選択する段階と，前記特定領域に定義された注釈の構文を分析し，マルチメディアソースと連係した注釈であるか否かを判断する段階と，前記特定領域に定義された注釈が前記マルチメディアソースと連係した注釈である場合，マルチメディアソースの位置を把握し，ＰＤＦファイルの内部，ローカル保存装置，又は遠隔地サーバの少なくともいずれか一つに保存されたマルチメディアソースをロードする段階と，前記ロードされたマルチメディアソースのヘッダを分析し，再生可能なヘッダである場合，形式を区分して，フラッシュ，動画，又は音楽ファイルの少なくともいずれか一つのマルチメディアソースを再生する段階とを含む。
【００２６】
前記マルチメディアソースと連係した注釈であるか否かを判断する段階は，前記特定領域の選択を通じて発生する入力信号が含まれた入力データを受信し，前記特定領域に定義された注釈のデータを抽出し，抽出された解釈可能な機能性注釈のデータに含まれた構文のうち，処理可能なマルチメディア形式の構文を分離する段階を含む。
【００２７】
前記マルチメディアソースをロードする段階は，前記マルチメディア形式の構文を分析し，前記マルチメディアソースの位置がＰＤＦファイルの内部である場合，注釈辞典を参照して，ＰＤＦファイル内のマルチメディアソースとマッピングされたキーを検索することにより，前記マルチメディアソースをロードする段階と，前記マルチメディアソースの位置がローカル保存装置である場合，制御命令を伝達され，ローカル保存装置においてマルチメディアソースをロードする段階と，前記マルチメディアソースの位置が遠隔地サーバである場合，ネットワークを用いて遠隔地サーバに接続し，マルチメディアソースをダウンロードする段階とを含む。
【００２８】
前記マルチメディアソースを再生する段階は，前記ロードされたマルチメディアソースのヘッダを分析し，再生可能なヘッダである場合，形式を区分して，それぞれの再生部に前記ロードされたマルチメディアソースを伝達する段階と，前記マルチメディアソースがAdobe Flash形式である場合，フラッシュ再生部により前記マルチメディアソースを受信して再生する段階と，前記マルチメディアソースがＭＰ４，ＷＭＶ，ＡＶＩ形式である場合，動画再生部により前記マルチメディアソースを受信して再生する段階と，前記マルチメディアソースがＭＰ３，ＷＭＡ，ＷＡＶ形式である場合，音楽ファイル再生部により前記マルチメディアソースが伝達されて再生される段階とを含む。
【発明の効果】
【００２９】
本発明によると，出版物と同一の形態のイメージのみを出力する静的な既存のＰＤＦ基盤のイーブックを，使用者の要求により，多様なコンテンツを提供することができる動的なイーブックに転換させることができる。
【００３０】
また，ＰＤＦ基盤のイーブックに動画，音声，アニメーション等の多様な形態のコンテンツを提供し，マルチメディアコンテンツを文書上において再生することができる。
【００３１】
また，文書の文字，イメージ等の客体をマルチメディアコンテンツとマッピングし，使用者の要求により，再生／停止可能にすることにより，使用者との相互作用を可能にすることができる。
【００３２】
また，遠隔地のマルチメディアデータをネットワークを通じて再生させ，イーブック上において多様なコンテンツを時間と距離の制約なく提供することができる。
【００３３】
また，動画，音声，アニメーション等をイーブックに加えて，マルチメディアを活用した学習データで構成することにより，動画講義とイーブックの融合を通じて学習効果を最大限発揮させることができる。
【図面の簡単な説明】
【００３４】
【図１】本発明の一実施例によるＰＤＦ文書基盤のイーブック用マルチメディア再生システムの細部的な構成を示すブロック図である。
【図２】本発明の一実施例によるＰＤＦ文書基盤のイーブック用マルチメディア再生システムにおけるマルチメディアソースの位置によるアクセス及び再生関係を概括的に示す構成図である。
【図３】本発明の一実施例によるＰＤＦ文書基盤のイーブック用マルチメディア再生方法の具現順序を示すフローチャートである。
【図４】本発明の一実施例によるＰＤＦ文書基盤のイーブック用マルチメディア再生方法の具現例を示す例示図である。
【発明を実施するための形態】
【００３５】
以下，添付した図面に基づき，本発明の好適な実施例について詳述する。しかしながら，本発明は，ここに説明する実施例に限らず，他の形態で具体化されてもよい。かえって，ここに紹介される実施例は，開示された内容が徹底かつ完全になるように，また，当業者に本発明の思想を充分に伝達するために提供されるものである。明細書全体にわたって同一の参照番号は，同一の構成要素を示す。
【００３６】
図１は，本発明の一実施例によるＰＤＦ文書基盤のイーブック用マルチメディア再生システムの細部的な構成を示すブロック図であり，図２は，本発明の一実施例によるＰＤＦ文書基盤のイーブック用マルチメディア再生システムにおけるマルチメディアソースの位置によるアクセス及び再生関係を概括的に示す構成図であり，図３は，本発明の一実施例によるＰＤＦ文書基盤のイーブック用マルチメディア再生方法の具現順序を示すフローチャートであり，図４は，本発明の一実施例によるＰＤＦ文書基盤のイーブック用マルチメディア再生方法の具現例を示す例示図である。
【００３７】
図１乃至図４を参照すると，本発明の一実施例によるＰＤＦ文書基盤のイーブック用マルチメディア再生システムは，ＰＤＦファイル７００を選択，ロードし，レンダリングに必要なページ構成要素を分離，抽出し，レンダリングされたページ構成要素を出力装置（図示せず）に伝送し，ＰＤＦ文書を出力するＰＤＦ文書処理部１００と，出力された前記ＰＤＦ文書の特定領域と関連して入力されたデータと連係した注釈５００のデータを抽出し，抽出された解釈可能な機能性注釈５００のデータに含まれた構文のうち，処理可能なマルチメディア形式の構文を分離する入力データ及び注釈処理部２００と，前記入力データ及び注釈処理部２００において分離されたマルチメディア形式の構文を分析して，マルチメディアソース６００の位置を把握し，ＰＤＦファイル７００の内部，ローカル保存装置８００，又は遠隔地サーバ９００の少なくともいずれか一つに保存されたマルチメディアソース６００をロードするマルチメディアソースローディング部３００と，前記ロードされたマルチメディアソース６００のヘッダーを分析し，再生可能なヘッダーである場合，形式を区分して，フラッシュ，動画，又は音楽ファイルの少なくともいずれか一つのマルチメディアソース６００を再生するマルチメディア再生部４００と，を備える。
【００３８】
前記ＰＤＦファイル７００は，各種の図書，雑誌，学習誌，広報冊子，カタログ等の多様な形態の著作物を電子図書，すなわち，イーブックの形態で提供するために作製され得る。前記ＰＤＦ文書処理部１００は，このようなＰＤＦファイル７００の基本的な処理を行い，このため，前記ＰＤＦ文書処理部１００は，ＰＤＦファイルローディング部１１０，コンテンツ解釈部１２０，レンダリング部１３０，文書出力部１４０等を有してもよい。
【００３９】
具体的に，前記ＰＤＦファイルローディング部１１０は，使用者がＰＣ又はモバイル装置に保存されたＰＤＦファイル７００を選択すると，これをロードしてＰＣ又はモバイル装置の内部に設置されたメモリにＰＤＦファイル７００を保存する。
【００４０】
また，前記コンテンツ解釈部１２０は，前記メモリに保存された前記ＰＤＦファイル７００を読み込み，ＰＤＦ文書出力のためのデータを分析し，出力されるＰＤＦ文書の画面構成のために，レンダリングに必要なページ構成要素を分離，抽出する。ここで，前記ページ構成要素は，グラフィックやテキストを含めた要素であり，出力されるＰＤＦ文書の画像を構成する要素をいう。
【００４１】
この際，前記コンテンツ解釈部１２０は，基本レンダリングに必要なページ構成要素と関連したデータ項目のみを先ず抽出し，その他の項目は，別途の呼出し信号がある場合にのみ，構文解析（parsing）を行う。
【００４２】
一方，前記レンダリング部１３０は，前記コンテンツ解釈部１２０から分離，抽出されたページ構成要素を画面出力のために整列，配置し，出力装置の特性に合わせて調整することにより，出力されるＰＤＦ文書の画像を生成する。
【００４３】
その後，文書出力部１４０は，前記レンダリング部１３０においてレンダリングされたページ構成要素を，前記出力装置に伝送し，使用者が見ることができるＰＤＦ文書を最終的に出力するようになる。ここで，前記出力装置は，レンダリングされたデータを実際の画像に具現するグラフィック処理装置とディスプレイ装置等のハードウェアを有してもよい。
【００４４】
このように出力されたＰＤＦ文書を通じて，使用者は，イーブックに含まれた著作物の内容を読むことができるようになるが，著作物を読む中，ＰＤＦ文書の特定領域を選択することにより，ＰＤＦファイル７００の内部又は外部に位置したマルチメディアソース６００にアクセスすることができる。
【００４５】
使用者が，ＰＤＦ文書上においてマルチメディアソース６００を再生させることができる構成と，作動過程について具体的に説明すると，先ず，前記入力データ及び注釈処理部２００は，出力された前記ＰＤＦ文書の特定領域と関連して入力されたデータと連係した注釈５００のデータを抽出し，抽出された解釈可能な機能性注釈５００のデータに含まれた構文のうち，処理可能なマルチメディア形式の構文を分離する役割を行うことができる。
【００４６】
このため，前記入力データ及び注釈処理部２００は，使用者入力部２１０，入力データ分析部２２０，注釈分析部２３０，及び構文フィルタリング部２４０等を有してもよい。
【００４７】
先ず，前記使用者入力部２１０は，使用者が前記ＰＤＦ文書の特定領域を選択して発生する入力信号が含まれた入力データを入力される。前記入力信号は，使用者からデータ又はクリック，ドラッグ等のイベントを入力されることにより生成され，ＰＣ又はモバイル装置の入力装置であるキーボード，マウス，タッチスクリーン，キーパッド，音声認識装置等を通じて，このような入力データが入力されるように構成されてもよい。
【００４８】
この際，前記ＰＤＦ文書の特定領域は，出力されたＰＤＦ文書に含まれたイメージ，テキスト等により形成される所定の領域であり，使用者は，例えば，前記特定領域をクリックすることにより，マルチメディアソース６００の再生のための入力信号を生成することができる。
【００４９】
一方，前記入力データ分析部２２０は，このように入力された前記入力データを分析し，単純グラフィック処理のためのデータと注釈５００のデータを分離し，前記単純グラフィック処理のためのデータは，前記コンテンツ解釈部１２０に伝達し，注釈５００のデータは，注釈分析部２３０に伝達する。
【００５０】
前記入力データ分析部２２０は，画面拡大，縮小，ページ移動等の一般のグラフィック処理のための入力信号である場合，その入力データを前記コンテンツ解釈部１２０に伝送し，前記コンテンツ解釈部１２０では，伝達された入力データに基づき，新たなページ構成要素を分離，抽出することにより，レンダリングを通じて入力データに対応する新たな画面構成を行うようになる。
【００５１】
また，前記注釈分析部２３０に伝達された前記注釈５００のデータは，本発明の一実施例によるＰＤＦ文書基盤のイーブック用マルチメディア再生システムにおいて，マルチメディアソース６００を再生するための重要な役割を行う。
【００５２】
注釈５００は，修正や編集が困難であるＰＤＦ文書において，主に連携と補完説明及び意思伝達機能を行うために導入されるものであるが，本発明の実施例においては，マルチメディアソース６００の再生のための媒体乃至命令体系として機能する。
【００５３】
特に，前記注釈分析部２３０は，注釈５００のデータを受信し，解釈可能な機能性注釈５００のデータを分離し，前記構文フィルタリング部２４０に伝達し，前記機能性注釈５００のデータを除いた単純注釈５００のデータ又はレンダリングに必要な注釈５００のデータは，前記コンテンツ解釈部１２０に伝達し，前記コンテンツ解釈部１２０は，伝達された注釈５００のデータをページ構成要素の抽出に活用する。
【００５４】
具体的に，前記注釈分析部２３０は，Text，Link，FreeText，Line，Square，Circle，Polygon，PolyLine，Highlight，Underline，Squiggly，StrikeOut，Stamp，Caret，Ink，Popup，FileAttachment，Sound，Movie，Widget，Screen，PrinterMark，TrapNet，Watermark，3D，Redact，Projection，RichMedia等と定義された注釈形式を分析して区分するように構成されてもよい。
【００５５】
前記構文フィルタリング部２４０は，前記注釈分析部２３０から前記機能性注釈５００のデータを受信し，前記機能性注釈５００のデータに含まれた構文のうち，処理可能なマルチメディア形式の構文を分離することができる。
【００５６】
すなわち，前記構文フィルタリング部２４０は，分析された注釈のうち，マルチメディア処理に関連した注釈のみを分離し，特定の形式，例えば，ResourceLocator，MediaWidth，MediaHeight，DispWidth，DispHeight，MainRect，HideMenu，Popup，TitleChange，ClientToHost，ToolBar，FullScreen，NavigateBar，Close，SetWidth，SetHeight，Resizable，SecureLock等が含まれた注釈の文法が正しいかを確認するだけでなく，文法の誤りを出力し，サポートされない形式部分を表示することにより，例外状況が生じた場合を処理する。
【００５７】
一方，前記マルチメディアソースローディング部３００は，前記入力データ及び注釈処理部２００において分離されたマルチメディア形式の構文を分析し，マルチメディアソース６００の位置を把握し，ＰＤＦファイル７００の内部，ローカル保存装置８００，又は遠隔地サーバ９００の少なくともいずれか一つに保存されたマルチメディアソース６００をロードする。すなわち，前記マルチメディアソースローディング部３００は，前記入力データ及び注釈処理部２００において抽出された解釈可能な機能性注釈５００のデータに含まれた構文のうち，処理可能なマルチメディア形式の構文を分離すると，これを伝送され，分離されたマルチメディア形式の構文を分析し，マルチメディアソース６００の位置を把握し，マルチメディアソース６００をロードする役割を行うものである。
【００５８】
このような役割を行うために，前記マルチメディアソースローディング部３００は，構文形式分析部３１０，データマッピング部３２０，リンク処理部３３０，マルチメディアファイルローディング部３４０，及びネットワーク接続部３５０等を有してもよい。
【００５９】
具体的に，前記構文形式分析部３１０は，前記構文フィルタリング部２４０から伝達された前記マルチメディア形式の構文を分析し，前記マルチメディアソース６００の位置に応じて命令を伝達するが，ＰＤＦファイル７００の内部のマルチメディアソース６００である場合は，データマッピング部３２０に，外部に存在するマルチメディアソース６００である場合は，リンク処理部３３０に，処理命令を伝達する。
【００６０】
この際，前記構文形式分析部３１０は，構文を分析し，データ（マルチメディア）の位置に応じて処理方式を決定し，属性値を抽出して適用するが，例えば，
“RL(ResourceLocator)=mediafile,
DW(DispWidth)=500,
DH(DispHeight)=400,
Popup=T””
のような構文の場合，メディアファイルを横５００，縦４００ピクセルのサイズのポップアップとして出力するようにとの処理命令を伝達するようになる。
【００６１】
前記データマッピング部３２０は，前記マルチメディアソースの位置がＰＤＦファイルの内部である場合，前記構文形式分析部３１０から前記処理命令を伝達され，注釈辞典を参照して，ＰＤＦファイル内のマルチメディアソース６００とマッピングされたキーを，前記コンテンツ解釈部１２０に伝送し，前記コンテンツ解釈部１２０が，伝送されたキーを用いてマルチメディアソース６００を検索し，マルチメディアソース６００の位置を指示するポインタをリターンすると，リターンされたポインタを用いてマルチメディアソース６００をロードするようになる。
【００６２】
一方，前記リンク処理部３３０は，前記マルチメディアソース６００の位置がＰＤＦファイル７００の外部である場合，前記構文形式分析部３１０から前記処理命令を伝達され，マルチメディアソース６００のリンク位置が遠隔地サーバ９００又はローカル保存装置８００であるかを分析し，制御命令を発生させる。
【００６３】
この際，前記マルチメディアソース６００の位置がローカル保存装置８００である場合，前記マルチメディアファイルローディング部３４０が前記リンク処理部３３０から制御命令を伝達され，ローカル保存装置８００においてマルチメディアソース６００をロードし，前記マルチメディアソース６００の位置が遠隔地サーバ９００である場合，前記ネットワーク接続部３５０がネットワークを用いて遠隔地サーバ９００に接続し，マルチメディアソース６００をダウンロードするようになる。
【００６４】
このように，前記マルチメディアソース６００が当該位置においてロードされると，前記マルチメディア再生部４００において，前記ロードされたマルチメディアソース６００のヘッダを分析し，再生可能なヘッダである場合，形式を区分して，フラッシュ，動画，又は音楽ファイルの少なくともいずれか一つのマルチメディアソース６００を再生する。
【００６５】
このような前記マルチメディア再生部４００は，マルチメディア形式分析部４１０，フラッシュ再生部４２０，動画再生部４３０，及び音楽ファイル再生部４４０等を有してもよい。
【００６６】
具体的に，前記マルチメディア形式分析部４１０は，前記ロードされたマルチメディアソース６００のヘッダーを分析し，再生可能なヘッダである場合，形式を区分して，それぞれの再生部に前記ロードされたマルチメディアソース６００を伝達する。
【００６７】
前記マルチメディア形式分析部４１０は，例えば，プレロードされたデータのヘッダを分析し，支援可能なメディアの有無を確認するように構成されるが，そのヘッダ形式は，例えば，
Ｍｐ３⇒４９ ４４ ３３ ０２ ０３ ７６ ５４ ４５ ４Ｅ
ＷＭＶ⇒３０ ２６ Ｂ２ ７５ ８Ｅ ６６ ＣＦ １１ Ａ６ Ｄ９
ＳＷＦ⇒４３ ５７ ５３ ０９ ５Ｃ ０Ｂ ０２ ００ ７８ ９Ｃ
のようになってもよい。
【００６８】
このように，前記マルチメディア形式分析部４１０においてマルチメディアソース６００の類型が確認されると，前記マルチメディアソース６００がAdobe Flash形式である場合，前記フラッシュ再生部４２０において前記マルチメディア形式分析部４１０からマルチメディアソースを受信して再生し，前記マルチメディアソース６００がＭＰ４，ＷＭＶ，ＡＶＩ形式である場合，前記動画再生部４３０において前記マルチメディア形式分析部４１０からマルチメディアソース６００を受信して再生し，前記マルチメディアソースがＭＰ３，ＷＭＡ，ＷＡＶ形式である場合，前記音楽ファイル再生部４４０が前記マルチメディア形式分析部４１０からマルチメディアソースを受信して再生するように構成されてもよい。
【００６９】
以下，上述した本発明の一実施例によるＰＤＦ文書基盤のイーブック用マルチメディア再生システムのマルチメディア再生方法について説明する。
【００７０】
先ず，前記出力されたＰＤＦ文書の特定領域，すなわち，イメージやテキストにより定義された領域を選択，クリックし，生成する入力信号と一緒に，当該領域に定義された注釈５００等の入力データが入力される。（Ｓ１００）
【００７１】
また，前記特定領域に定義された注釈５００の構文を分析し（Ｓ２００），マルチメディアソース６００と連係した注釈５００であるか否かを判断するようになる。（Ｓ３００）
【００７２】
この際，前記入力データ及び注釈処理部２００において，前記特定領域の選択を通じて発生する入力信号が含まれた入力データが入力され，前記特定領域に定義された注釈５００のデータを抽出し，抽出された解釈可能な機能性注釈５００のデータに含まれた構文のうち，処理可能なマルチメディア形式の構文を分離することにより，マルチメディアソース６００と連係した注釈５００であるか否かを判断するようになる。
【００７３】
具体的に，前記入力データ分析部２２０は，このように入力された前記入力データを分析し，入力データと連係した注釈５００のデータは，注釈分析部２３０に伝達し，前記注釈分析部２３０は，注釈５００のデータを受信し，解釈可能な機能性注釈５００のデータを分離し，前記構文フィルタリング部２４０に伝達し，前記構文フィルタリング部２４０は，前記注釈分析部２３０から前記機能性注釈５００のデータを受信し，前記機能性注釈５００のデータに含まれた構文のうち，処理可能なマルチメディア形式の構文を分離するようになる。
【００７４】
その後，特定領域に定義された注釈５００が，前記マルチメディアソース６００と連係した注釈５００である場合，マルチメディアソースの位置を把握し（Ｓ４００），ＰＤＦファイル７００の内部，ローカル保存装置８００，又は遠隔地サーバ９００の少なくともいずれか一つに保存されたマルチメディアソース６００をロードする。
【００７５】
具体的に，前記マルチメディアソース６００がＰＤＦファイル７００の内部に位置するかを判断し（Ｓ５００），前記マルチメディアソース６００の位置がＰＤＦファイル７００の内部である場合，注釈辞典を参照して，ＰＤＦファイル７００内のマルチメディアソース６００とマッピングされたキーを検索することにより，前記マルチメディアソースをロードする。（Ｓ５１０）
【００７６】
また，前記マルチメディアソース６００がＰＤＦファイル７００の外部に位置する場合，前記リンク処理部３３０は，マルチメディアソース６００のリンク位置が遠隔地サーバ９００又はローカル保存装置８００であるかを分析して制御命令を発生させるが（Ｓ５２０），前記マルチメディアソース６００の位置がローカル保存装置８００である場合，前記マルチメディアファイルローディング部３４０が前記リンク処理部３３０から制御命令を伝達され，ローカル保存装置８００においてマルチメディアソース６００をロードし（Ｓ５４０），前記マルチメディアソース６００の位置が遠隔地サーバ９００である場合，前記ネットワーク接続部３５０が，ネットワークを用いて遠隔地サーバ９００に接続し，マルチメディアソース６００をダウンロードするようになる。（Ｓ５５０）
【００７７】
その後，前記マルチメディア形式分析部４１０において，前記ロードされたマルチメディアソース６００のヘッダを分析し（Ｓ６００），再生可能なヘッダであるか否かを判断し（Ｓ７００），再生可能なヘッダである場合，形式を区分し，データ形式による再生機を選択することにより，マルチメディアソース６００が再生される（Ｓ８００）。この際，前記マルチメディアソース６００の再生は，別途のポップアップが生成されて再生され，又はＰＤＦ文書上にオーバーラップされた状態で再生されるように構成されてもよい。
【００７８】
上述したＰＤＦ文書基盤のイーブック用マルチメディア再生システムは，ＰＣ又はモバイル装置用アプリケーションに具現されて提供されてもよく，このようなＰＤＦ文書基盤のイーブック用マルチメディア再生システムを通じて，出版物と同一の形態のイメージのみを出力する静的な既存のＰＤＦ基盤のイーブックを，使用者の要求により，多様なコンテンツを提供可能な動的なイーブックに転換させてもよい。
【００７９】
また，ＰＤＦ基盤のイーブックに動画，音声，アニメーション等の多様な形態のコンテンツを提供し，マルチメディアコンテンツを文書上において再生可能であり，文書の客体（文字，イメージ等）をマルチメディアコンテンツとマッピングして，使用者の要求によって再生／中止可能にし，使用者との相互作用を可能にすることができ，遠隔地のマルチメディアデータをネットワークを用いて再生可能にし，イーブック上において多様なコンテンツを時間と距離の制約なく提供することができる。
【００８０】
さらには，動画，音声，アニメーション等をイーブックに加え，マルチメディアを活用した学習データで構成することにより，動画講義とイーブックの融合を通じて学習効果を最大限発揮させることができる。
【００８１】
以上，本発明の一実施例を参照して説明したが，その技術の分野における当業者は，以下に述べる特許請求の範囲に記載された本発明の思想及び領域の範囲内で，本発明を多様に修正及び変更実施することができる。このため，変形された実施が基本的に本発明の特許請求の範囲の構成要素を含めば，全て本発明の技術的範疇に含まれるものとみなすべきである。
【図１】
2014518576.tif 000003
【図２】
2014518576.tif 000004
【図３】
2014518576.tif 000005
【図４】
2014518576.tif 000006
【国際調査報告】
2014518576.tif 000007
2014518576.tif 000008
2014518576.tif 000009
2014518576.tif 000010